(57)【要約】      （修正有）【課題】安価で長期の使用に耐え、工具を必要とせず、取付けが容易で、狭い処、短い処、傾斜部、屈曲部等の場所を選ばず、塗装等のメンテナンス、追加品取付作業も簡単で、作業時間の短縮もできる鳥獣飛来防止装置を提供する。【解決手段】磁石材から構成された基部に棒状の鳥獣飛来防止部材を立設した鳥獣飛来防止装置は安価で、建築物の天井鉄骨・電柱腕金等の磁性体に鳥獣飛来防止装置の取付けスペースが有れば、工具を必要とせず、取付け容易で、使用状況により、棒状鳥獣飛来防止部材に延長補助棒を継ぎ足し、又は挿入する事で、多様な形状で広範囲に、鳥獣侵入防止ができ、又、鳥獣飛来防止装置を複数個設置した場合、鳥獣飛来防止具に設けたくびれ部や通過孔部に糸又はワイヤを張り巡らす事で、取付け個数が少なくでき、又、塗装等のメンテナンス、追加品取付作業も簡単である。【選択図】図１
0003155156.tif 000002
【実用新案登録請求の範囲】
【請求項１】
磁石材からなる基部と、前記基部の孔に、くびれ部や通過孔部を設けた棒状部を取付け、その棒状部に継ぎ足し延長する補助棒とを備えた事を特徴とする鳥獣飛来防止装置。
【請求項２】
棒状部材又は補助棒を複数個設け、その間を糸又はワイヤで接続した事を特徴とする請求項１に記載の鳥獣飛来防止装置。
【考案の詳細な説明】
【技術分野】
【０００１】
本考案は、建物などへの鳥の飛来を防止する装置に関するものである。
【背景技術】
【０００２】
従来の鳥獣飛来防止品として、防止対象箇所に長尺板に針状物を設け、固定金具にて鉄骨に挟み込んだり、ビスや接着剤で取付けた物、針状突起物を基台に組込み磁石で取り付けた物、固定金具間に紐を張った物、ネットを張った物、音響効果を利用した物、プロペラに磁石を取付け、磁力バリアを利用した物、等が使われている。
【先行技術文献】
【特許文献】
【０００３】
【特許文献１】特開２００２−１５９２５４号公報
【考案の概要】
【考案が解決しようとする課題】
【０００４】
従来の鳥獣飛来防止品は、組立てに工具を必要とする為、手間が掛かり、高価で、狭い処、短い処、傾斜部、屈曲部等の場所での作業が困難で塗装等のメンテナンス、追加品取付作業も簡単でなかった。
【課題を解決するための手段】
【０００５】
磁石材から構成された基部に、くびれ部又は通過孔部を設けた棒状の鳥獣飛来防止部材を立設した鳥獣飛来防止装置は、事前組立てを必要とせず、作業時間の短縮ができ、取付け部が磁性体で鳥獣飛来防止装置の取付けスペースが有れば、狭い処、短い処、傾斜部、屈曲部等の場所を選ばず、取付けが容易で、塗装等のメンテナンス、追加品取付作業も簡単である。
使用状況により、棒状の鳥獣飛来防止部材に延長上方向補助棒を継ぎ足し、又は延長横方向補助棒を挿入する事で、広範囲に、上部及び横よりの鳥獣飛来防止を行う事ができる。
鳥獣飛来防止装置を複数個取り付けた場合、鳥獣飛来防止具や延長補助棒のくびれや通過孔部に鳥獣の足に比べ充分細い糸又はワイヤを張り巡らす事で、鳥獣は線材上に留まることはできず、鳥獣飛来防止装置の取付け個数も少なくする事ができるものを提供するものです。
【考案の効果】
【０００６】
この鳥獣飛来防止装置は、磁石使用の為、安価で長期の使用に耐え、取付け部が磁性体で鳥獣飛来防止装置の取付けスペースが有れば、工具を必要とせず、取付けが容易で、狭い処、短い処、傾斜部、屈曲部等の場所を選ばず、塗装等のメンテナンス、追加品取付作業も簡単で、作業時間の短縮もできる。必要に応じ延長上方向補助棒の継ぎ足し、又は延長横方向補助棒を挿入する事で、広範囲に、上部及び横よりの鳥獣飛来防止を行う事ができる。又、鳥獣飛来防止装置を複数個取付けた場合、鳥獣飛来防止具や延長補助棒のくびれ又は通過孔部に鳥獣の足に比べ充分細い糸又はワイヤを張り巡らす事で、鳥獣は線材上に留まることはできず、又、鳥獣飛来防止装置の取付け個数も少なくする事ができる。 
【図面の簡単な説明】
【０００７】
【図１】本考案の鳥獣飛来防止装置の構成図
【図２】同装置の延長補助棒の継ぎ足し部を示した図
【図３】同装置の延長補助棒の継ぎ足し部を示した図
【図４】同装置の鳥獣飛来防止具のくびれ部を示した図
【図５】同装置の鳥獣飛来防止具の通過孔部を示した図
【考案を実施するための形態】
【０００８】
図１に本発明の実施例を示す。建物の磁性体からなる支柱などの構造体８０に孔付き磁石の基部１１・１２にくびれ部５１又は通過孔部５２を設けた棒状体鳥獣飛来防止具２１・２２を取付けた装置で、建築物の天井鉄骨・電柱腕金等の磁性体部に取付ける事で鳥獣が止まれなく、鳥獣飛来防止を行う事ができ、設置場所に合わせて自由に取付け個数が決められ、必要に応じ延長上方向補助棒３１・３２を継ぎ足し、又は、延長横方向補助棒４１〜４４を挿入する事で、広範囲に、上部及び横よりの鳥獣飛来防止を行う事ができる。鳥獣飛来防止装置の取付け間隔を広げた場合には鳥獣飛来防止具２１・２２のくびれ部５１又は通過孔部５２に鳥獣の足に比べ充分細い糸又はワイヤ７１を張り巡らす事で、鳥獣は線材上に留まることはできず、又、鳥獣飛来防止装置の取付け個数も少なくする事もできる。
【０００９】
中央に孔を設けた孔付き磁石からなる基部１１・１２を有し、鳥獣飛来防止具２１・２２の一端を基部１１・１２に固定する。
使用状況により、鳥獣飛来防止部材２１・２２に延長上方向補助棒３１や３２を追加する事で長さを変えたり、横方向補助棒４１・４２．４３．４４を差込み、その取付け方向をかえたり、線材７１の張り方を変えることで多様な形状を構成することができ、広範囲に、上部及び側面よりの鳥獣飛来防止を行う事ができる。
鳥獣飛来防止具２１の先端はテーパ状になっており、延長上方向補助棒３１の挿入が容易な構造になっている。
鳥獣飛来防止具２２の先端はねじ状になっており、延長上方向補助棒３２の挿入が容易な構造になっている。
鳥獣飛来防止具２１・２２には、くびれ部５１と通過孔部５２が設けてあり、鳥獣飛来防止装置を複数個取付けた場合、鳥獣飛来防止具２１・２２のくびれ部５１又は通過孔部５２間に鳥獣の足に比べ充分細いものである糸又はワイヤ７１を張り巡らす事で、鳥獣は線材上に留まることはできず、又、鳥獣飛来防止装置の取付け個数も少なくする事ができる。 
基部１１・１２は鳥獣が飛来する建造物（例えば天井鉄骨や電柱腕金など）が磁性体であれば磁力によって固定できるが、建造物が非磁性体の場合は、建築物側に磁性体を取付け又は貼り付けて使用する。
又、基部１１・１２を防錆・絶縁コーティングを施す事により 室外や充電部付近での使用も可能である。基部１１・１２をヨーク材付きとし、吸着力を増すこともできる。
鳥獣飛来防止具２１・２２や上方向補助棒３１・３２や横方向補助棒４１〜４４は材料に制約はないが、樹脂製にすれば、軽量で防錆効果がある。  
棒状体鳥獣飛来防止具２１・２２又は延長補助棒３１・３２・４１・４２は図１では丸形で表現しているが、角形・板形等、異なったさまざまな形体にも対応し、先端部のテーパー状６１、ねじ状６２及びくびれ部５１の形状もさまざまな形体に合わせて変化させる事がきる。
図２は本考案実施例の部分詳細図を示したもので、テーパ式の棒状飛来防止具２１に延長上方向飛来防止具３１を継ぎ足したものである。
図３は本考案実施例の部分詳細図を示したもので、ねじ込み式の棒状飛来防止具２２に延長上方向飛来防止具３２を継ぎ足したものである。
図４は本考案実施例の部分詳細図を示したもので、くびれ部５１加工方法の１例を示したものである。
図５は本考案実施例の詳細図を示したもので、通過孔部の加工方法の１例を示す。棒状体鳥獣飛来防止具２１・２２又は延長上方向補助棒３１・３２の通過穴部の片側に切り込みを入れる事で糸又はワイヤの挿入を容易にし、作業時間の短縮が図られる。
【符号の説明】
【００１０】
１１・１２  ・・・ 基部      
２１・２２  ・・・ 鳥獣飛来防止具      
３１・３２  ・・・ 延長上方向補助棒
３３        ・・・ テーパー式延長接続部      
３４        ・・・ ねじ式延長接続部
４１〜４４  ・・・ 延長横方向補助棒      
５１  ・・・・・・くびれ部
５２  ・・・・・・通過孔部
６１  ・・・・・・先端部テーパー式      
６２  ・・・・・・先端部ねじ式
７１  ・・・・・・糸又はワイヤ
【図１】
0003155156.tif 000003
【図２】
0003155156.tif 000004
【図３】
0003155156.tif 000005
【図４】
0003155156.tif 000006
【図５】
0003155156.tif 000007
【手続補正書】
【提出日】平成21年6月12日(2009.6.12)
【手続補正１】
【補正対象書類名】実用新案登録請求の範囲
【補正対象項目名】全文
【補正方法】変更
【補正の内容】
【実用新案登録請求の範囲】
【請求項１】
磁石材からなる基部と、前記基部の孔に取り付けられた棒状体と、前記棒状体に継ぎ足し延長する補助棒とからなり、前記棒状体と前記補助棒とをそれぞれ複数個設け、前記棒状体又は前記補助棒に、糸又はワイヤを接続する為のくびれ部又は通過孔部を設けたことを特徴とする鳥獣飛来防止装置。
【請求項２】
磁石材からなる基部と、前記基部の孔に取り付けられた前記棒状体又は前記補助棒をそれぞれ複数個設け、前記棒状体又は前記補助棒に延長横方向補助棒を横方向に設けた事を特徴とする鳥獣飛来防止装置。  
【手続補正２】
【補正対象書類名】明細書
【補正対象項目名】００１０
【補正方法】変更
【補正の内容】
【００１０】
１１・１２  ・・・  基部
２１・２２  ・・・  鳥獣飛来防止具（棒状体）
３１・３２  ・・・  延長上方向補助棒
３３  ・・・・・・  テーパー式延長接続部
３４  ・・・・・・  ねじ式延長接続部
４１〜４４  ・・・  延長横方向補助棒
５１  ・・・・・・  くびれ部
５２  ・・・・・・  通過孔部
６１  ・・・・・・  先端部テーパー式
６２  ・・・・・・  先端部ねじ式
７１  ・・・・・・  糸又はワイヤ
【手続補正書】
【提出日】平成21年8月27日(2009.8.27)
【手続補正１】
【補正対象書類名】実用新案登録請求の範囲
【補正対象項目名】請求項２
【補正方法】変更
【補正の内容】
【請求項２】
基部の孔に取付けられた棒状体又は補助棒をそれぞれ複数個設け、前記棒状体又は前記補助棒に延長横方向補助棒を横方向に設けた事を特徴とする請求項１に記載の鳥獣飛来防止装置。